(57)【特許請求の範囲】
【請求項１】
クライアント端末および応募サイトに通信可能に接続され、登録された画像を管理する画像管理装置であって、
前記応募サイトに応募済みであることを示す画像の応募情報を記憶する応募情報記憶手段と、
前記クライアント端末から、前記登録されている画像の中から前記応募サイトに応募する画像の選択を受け付ける第１の応募画像受付手段と、
前記第１の応募画像受付手段によって受け付けた画像を前記応募サイトに応募するための応募画面を、前記クライアント端末に表示指示する応募画面表示指示手段と、
前記応募情報記憶手段が記憶している応募情報に基づいて、前記第１の応募画像受付手段で受け付けた画像が、応募済みである否かを判定する新規応募判定手段と、
前記応募サイトに前記第１の応募画像受付手段によって受け付けた画像を送信するための応募受け付け用のボタンの押下を受け付けることで、当該画像を前記応募サイトに送信する応募画像送信手段とを備え、
前記応募画面表示指示手段は、前記第１の応募画像受付手段によって受け付けた前記応募サイトに応募する画像が、前記新規応募判定手段によって応募済みではないと判定された場合に、前記応募受け付け用のボタンを含む前記応募画面を前記クライアント端末に表示指示し、一方、応募済みであると判定された場合には、前記応募受け付け用のボタンを含まない前記応募画面を前記クライアント端末に表示指示することを特徴とする画像管理装置。
【請求項２】
前記新規応募判定手段は、前記応募情報記憶手段が記憶している応募情報に基づいて、前記第１の応募画像受付手段で受け付けた画像に対応付けられた応募情報がない場合には応募済みでないと判定し、応募情報がある場合には応募済みであると判定することを特徴とする請求項１に記載の画像管理装置。
【請求項３】
前記クライアント端末から、前記クライアント端末に保存されている画像の中から前記応募サイトに応募する画像の選択を受け付ける第２の応募画像受付手段と、
前記第２の応募画像受付手段が受け付けた画像が、前記画像管理装置に登録されているかいなかを判定する登録判定手段と、
前記登録判定手段が登録されていないと判定した場合に、前記第２の応募画像受付手段が受け付けた画像を登録すべく指示する画面を、前記画像管理装置に表示指示する登録画面表示指示手段とを備えることを特徴とする請求項１または２に記載の画像管理装置。
【請求項４】
前記登録されている画像を表示する画面の表示要求を前記クライアント端末から受け付ける登録画像画面受付手段と、
前記登録画像画面受付手段によって受け付けた前記登録されている画像を表示する画面の表示要求に応じて当該画面に表示される前記登録されている画像のうち、前記応募情報記憶手段に記憶された応募情報に対応付けられ、前記応募サイトに応募済みの画像に、前記応募サイトへの応募が識別可能な表示情報を付与した画面を、前記クライアント端末に表示指示する登録画像画面表示指示手段とを備え、
前記登録画像画面表示指示手段によって前記クライアント端末に表示される画面の前記表示情報は、押下が可能なボタンであって、押下を受け付けた際に、前記表示情報に対応付けられた画像を、前記第１の応募画像受付手段によって受け付けた画像として、前記応募画面表示指示手段に対し、前記応募画面を前記クライアント端末に表示指示するよう要求するボタンであることを特徴とする請求項１乃至３のいずれか１項に記載の画像管理装置。
【請求項５】
クライアント端末および応募サイトに通信可能に接続され、登録された画像を管理するとともに、前記応募サイトに応募済みであることを示す画像の応募情報を記憶する応募情報記憶手段を備えた画像管理装置における制御方法であって、
前記画像管理装置の第１の応募画像受付手段が、前記クライアント端末から、前記登録されている画像の中から前記応募サイトに応募する画像の選択を受け付ける第１の応募画像受付工程と、
前記画像管理装置の応募画面表示指示手段が、前記第１の応募画像受付工程によって受け付けた画像を前記応募サイトに応募するための応募画面を、前記クライアント端末に表示指示する応募画面表示指示工程と、
前記画像管理装置の新規応募判定手段が、前記応募情報記憶手段が記憶している応募情報に基づいて、前記第１の応募画像受付工程で受け付けた画像が、応募済みである否かを判定する新規応募判定工程と、
前記画像管理装置の応募画像送信手段が、前記応募サイトに前記第１の応募画像受付工程によって受け付けた画像を送信するための応募受け付け用のボタンの押下を受け付けることで、当該画像を前記応募サイトに送信する応募画像送信工程とを含み、
前記応募画面表示指示工程は、前記第１の応募画像受付工程によって受け付けた前記応募サイトに応募する画像が、前記新規応募判定工程によって応募済みでないと判定された場合に、前記応募受け付け用のボタンを含む前記応募画面を前記クライアント端末に表示指示し、一方、応募済みであると判定された場合には、前記応募受け付け用のボタンを含まない前記応募画面を前記クライアント端末に表示指示することを特徴とする制御方法。
【請求項６】
クライアント端末および応募サイトに通信可能に接続され、登録された画像を管理するとともに、前記応募サイトに応募済みであることを示す画像の応募情報を記憶する応募情報記憶手段を備えた画像管理装置で読み取り実行が可能なプログラムであって、
前記画像管理装置を、
前記クライアント端末から、前記登録されている画像の中から前記応募サイトに応募する画像の選択を受け付ける第１の応募画像受付手段と、
前記第１の応募画像受付手段によって受け付けた画像を前記応募サイトに応募するための応募画面を、前記クライアント端末に表示指示する応募画面表示指示手段と、
前記応募情報記憶手段が記憶している応募情報に基づいて、前記第１の応募画像受付手段で受け付けた画像が、応募済みである否かを判定する新規応募判定手段と、
前記応募サイトに前記第１の応募画像受付手段によって受け付けた画像を送信するための応募受け付け用のボタンの押下を受け付けることで、当該画像を前記応募サイトに送信する応募画像送信手段として機能させ、
前記応募画面表示指示手段は、前記第１の応募画像受付手段によって受け付けた前記応募サイトに応募する画像が、前記新規応募判定手段によって応募済みでないと判定された場合に、前記応募受け付け用のボタンを含む前記応募画面を前記クライアント端末に表示指示し、一方、応募済みであると判定された場合には、前記応募受け付け用のボタンを含まない前記応募画面を前記クライアント端末に表示指示することを特徴とするプログラム。
【請求項７】
応募サイトに通信可能に接続され、クライアント端末から登録された画像を管理する画像管理装置と、該クライアント端末とを含む画像管理システムであって、
前記画像管理装置は、
前記応募サイトに応募済みであることを示す画像の応募情報を記憶する応募情報記憶手段と、
前記クライアント端末から、前記登録されている画像の中から前記応募サイトに応募する画像の選択を受け付ける第１の応募画像受付手段と、
前記第１の応募画像受付手段によって受け付けた画像を前記応募サイトに応募するための応募画面を、前記クライアント端末に表示指示する応募画面表示指示手段と、
前記応募情報記憶手段が記憶している応募情報に基づいて、前記第１の応募画像受付手段で受け付けた画像が、応募済みである否かを判定する新規応募判定手段と、
前記応募サイトに前記第１の応募画像受付手段によって受け付けた画像を送信するための応募受け付け用のボタンの押下を受け付けることで、当該画像を前記応募サイトに送信する応募画像送信手段とを備え、
前記クライアント端末は、
前記画像管理装置により表示指示された前記応募画面を表示する応募画面表示手段を備え、
前記画像管理装置の前記応募画面表示指示手段は、前記第１の応募画像受付手段によって受け付けた前記応募サイトに応募する画像が、前記新規応募判定手段によって応募済みでないと判定された場合に、前記応募受け付け用のボタンを含む前記応募画面を前記クライアント端末に表示指示し、一方、応募済みであると判定された場合には、前記応募受け付け用のボタンを含まない前記応募画面を前記クライアント端末に表示指示することを特徴とする画像管理システム。
【請求項８】
応募サイトに通信可能に接続され、クライアント端末から登録された画像を管理するとともに、前記応募サイトに応募済みであることを示す画像の応募情報を記憶する応募情報記憶手段を備えた画像管理装置と、該クライアント端末とを含む画像管理システムにおける制御方法であって、
前記画像管理装置において、
前記画像管理システムの第１の応募画像受付手段が、前記クライアント端末から、前記登録されている画像の中から前記応募サイトに応募する画像の選択を受け付ける第１の応募画像受付工程と、
前記画像管理システムの応募画面表示指示手段が、前記第１の応募画像受付工程によって受け付けた画像を前記応募サイトに応募するための応募画面を、前記クライアント端末に表示指示する応募画面表示指示工程と、
前記画像管理システムの新規応募判定手段が、前記応募情報記憶手段が記憶している応募情報に基づいて、前記第１の応募画像受付工程で受け付けた画像が、応募済みである否かを判定する新規応募判定工程と、
前記画像管理システムの応募画像送信手段が、前記応募サイトに前記第１の応募画像受付工程によって受け付けた画像を送信するための応募受け付け用のボタンの押下を受け付けることで、当該画像を前記応募サイトに送信する応募画像送信工程とを含み、
前記クライアント端末において、
前記画像管理装置により表示指示された前記応募画面を表示する応募画面表示工程を含み、
前記応募画面表示指示工程は、前記第１の応募画像受付工程によって受け付けた前記応募サイトに応募する画像が、前記新規応募判定工程によって応募済みでないと判定された場合に、前記応募受け付け用のボタンを含む前記応募画面を前記クライアント端末に表示指示し、一方、応募済みであると判定された場合には、前記応募受け付け用のボタンを含まない前記応募画面を前記クライアント端末に表示指示することを特徴とする制御方法。
【請求項９】
応募サイトに通信可能に接続され、クライアント端末から登録された画像を管理するとともに、前記応募サイトに応募済みであることを示す画像の応募情報を記憶する応募情報記憶手段を備えた画像管理装置と、該クライアント端末とを含む画像管理システムで読み取り実行が可能なプログラムであって、
前記画像管理装置を、
前記クライアント端末から、前記登録されている画像の中から前記応募サイトに応募する画像の選択を受け付ける第１の応募画像受付手段と、
前記第１の応募画像受付手段によって受け付けた画像を前記応募サイトに応募するための応募画面を、前記クライアント端末に表示指示する応募画面表示指示手段と、
前記応募情報記憶手段が記憶している応募情報に基づいて、前記第１の応募画像受付手段で受け付けた画像が、応募済みである否かを判定する新規応募判定手段と、
前記応募サイトに前記第１の応募画像受付手段によって受け付けた画像を送信するための応募受け付け用のボタンの押下を受け付けることで、当該画像を前記応募サイトに送信する応募画像送信手段として機能させ、
前記クライアント端末を、
前記画像管理装置により表示指示された前記応募画面を表示する応募画面表示手段として機能させ、
前記応募画面表示指示手段は、前記第１の応募画像受付手段によって受け付けた前記応募サイトに応募する画像が、前記新規応募判定手段によって応募済みでないと判定された場合に、前記応募受け付け用のボタンを含む前記応募画面を前記クライアント端末に表示指示し、一方、応募済みであると判定された場合には、前記応募受け付け用のボタンを含まない前記応募画面を前記クライアント端末に表示指示することを特徴とするプログラム。
【発明の詳細な説明】
【技術分野】
【０００１】
画像管理装置、システム、その制御方法、及びプログラムに関する。
【背景技術】
【０００２】
近年、フォトアルバムや画像投稿サイトといったＷＥＢサイトを利用する画像関連サイトが多くなり、画像関連サイト間で画像をやり取りするケースがある。
画像を保存している装置が画像関連の外部システムと連携する方法としては以下のような技術が開示されている。
【０００３】
先行文献１においては、画像を保管する際に、フォトコンテストに入賞した画像が保管されてしまうことを防止するために、コンテスト画像データベースを参照し、登録されようとする画像が、フォトコンテストの画像と一致するかを判定する技術が開示されている。
【０００４】
先行文献２においては、撮影した画像を関連サイトに簡単に投稿する手順を簡単にするために、画像関連サイトが募集している画像の種類と投稿する画像の内容を比較し、適切な組み合わせを選択する技術が開示されている。
【先行技術文献】
【特許文献】
【０００５】
【特許文献１】特開２００３−２５６８０２号公報
【特許文献２】特開２０１１−７０４６６号公報
【発明の概要】
【発明が解決しようとする課題】
【０００６】
個人が自慢の画像をフォトコンテストといった画像関連サイトに応募する場合において、フォトコンテストに応募する画像は、貴重な画像であるので、個人パソコンに保管したままでは、パソコンが故障した場合に貴重な画像を紛失してしまうことがあり、貴重な画像はオンラインアルバムに登録（アップロード）してバックアップする必要があるが、従来技術では応募済の画像がフォトアルバムにアップロードしたかいなかを簡単な操作で管理することはできないといった問題がある。
【０００７】
このためには、画像管理装置に登録（アップロード）した画像を応募サイトに応募する場合に、応募サイトへの応募履歴事態を画像管理装置内で管理する必要がある。
本願発明は、画像管理装置に登録した画像で応募サイトに応募した画像を管理することができる仕組みを提供することを目的とする。
【課題を解決するための手段】
【０００８】
本願発明は、クライアント端末および応募サイトに通信可能に接続され、登録された画像を管理する画像管理装置であって、前記応募サイトに応募済みであることを示す画像の応募情報を記憶する応募情報記憶手段と、前記クライアント端末から、前記登録されている画像の中から前記応募サイトに応募する画像の選択を受け付ける第１の応募画像受付手段と、前記第１の応募画像受付手段によって受け付けた画像を前記応募サイトに応募するための応募画面を、前記クライアント端末に表示指示する応募画面表示指示手段と、前記応募情報記憶手段が記憶している応募情報に基づいて、前記第１の応募画像受付手段で受け付けた画像が、応募済みである否かを判定する新規応募判定手段と、前記応募サイトに前記第１の応募画像受付手段によって受け付けた画像を送信するための応募受け付け用のボタンの押下を受け付けることで、当該画像を前記応募サイトに送信する応募画像送信手段とを備え、前記応募画面表示指示手段は、前記第１の応募画像受付手段によって受け付けた前記応募サイトに応募する画像が、前記新規応募判定手段によって応募済みではないと判定された場合に、前記応募受け付け用のボタンを含む前記応募画面を前記クライアント端末に表示指示し、一方、応募済みであると判定された場合には、前記応募受け付け用のボタンを含まない前記応募画面を前記クライアント端末に表示指示することを特徴とする。
【０００９】
また、前記新規応募判定手段は、前記応募情報記憶手段が記憶している応募情報に基づいて、前記第１の応募画像受付手段で受け付けた画像に対応付けられた応募情報がない場合には応募済みでないと判定し、応募情報がある場合には応募済みであると判定することを特徴とする。
【００１０】
また、前記クライアント端末から、前記クライアント端末に保存されている画像の中から前記応募サイトに応募する画像の選択を受け付ける第２の応募画像受付手段と、前記第２の応募画像受付手段が受け付けた画像が、前記画像管理装置に登録されているかいなかを判定する登録判定手段と、前記登録判定手段が登録されていないと判定した場合に、前記第２の応募画像受付手段が受け付けた画像を登録すべく指示する画面を、前記画像管理装置に表示指示する登録画面表示指示手段とを備えることを特徴とする。
【００１１】
また、前記登録されている画像を表示する画面の表示要求を前記クライアント端末から受け付ける登録画像画面受付手段と、前記登録画像画面受付手段によって受け付けた前記登録されている画像を表示する画面の表示要求に応じて当該画面に表示される前記登録されている画像のうち、前記応募情報記憶手段に記憶された応募情報に対応付けられ、前記応募サイトに応募済みの画像に、前記応募サイトへの応募が識別可能な表示情報を付与した画面を、前記クライアント端末に表示指示する登録画像画面表示指示手段とを備え、前記登録画像画面表示指示手段によって前記クライアント端末に表示される画面の前記表示情報は、押下が可能なボタンであって、押下を受け付けた際に、前記表示情報に対応付けられた画像を、前記第１の応募画像受付手段によって受け付けた画像として、前記応募画面表示指示手段に対し、前記応募画面を前記クライアント端末に表示指示するよう要求するボタンであることを特徴とする。
【発明の効果】
【００１２】
本願発明により、画像管理装置に登録した画像で応募サイトに応募した画像を管理することができる仕組みを提供することが可能となる。
【図面の簡単な説明】
【００１３】
【図１】画像管理システムのシステム構成を示す図である。
【図２】ハードウエア構成を示す図である。
【図３】画像管理装置がクライアント端末に表示指示する画面の１例を示す図である。
【図４】画像管理装置がクライアント端末に表示指示する画面の１例を示す図である。
【図５】画像管理装置がクライアント端末に表示指示する画面の１例を示す図である。
【図６】画像管理装置がクライアント端末に表示指示する画面の１例を示す図である。
【図７】画像管理装置がクライアント端末に表示指示する画面の１例を示す図である。
【図８】画像管理システムのフローチャートを示す図である。
【図９】画像管理システムのフローチャートを示す図である。
【図１０】画像管理システムのフローチャートを示す図である。
【図１１】画像管理システムのフローチャートを示す図である。
【図１２】フローチャートを示す図である。
【図１３】フローチャートを示す図である。
【図１４】テーブルを示す図である。
【発明を実施するための形態】
【００１４】
図１を説明する。
図１は、システム構成図である。
【００１５】
１００は画像管理サーバ（画像管理装置）であり、クライアント端末２００と通信可能に接続され、クライアント端末から登録（アップロード）された画像の画像情報を管理するオンラインアルバムのＷＥＢサイトである。さらに応募サイト１０１に通信可能に接続され、サイト内から応募サイトに画像を応募できる。
【００１６】
１０１はコンテスト管理サーバ（応募サイト）であり、画像管理サーバ１００から応募した画像にてコンテストに応募することができるＷＥＢサイトである。さらにクライアント端末２００から応募した画像にてコンテストに応募することもできる。
【００１７】
２００、２０１はクライアント端末であり、クライアント端末のＷＥＢブラウザを介して、画像管理サーバ１００のＷＥＢコンテンツ（オンラインアルバム）及びコンテスト管理サーバ１０１のＷＥＢコンテンツ（応募サイト）にアクセスすることができる。
図２を説明する。
図２は画像管理サーバ１００、コンテスト管理サーバ１００及びクライアント端末２００、クライアント端末２０１のハードウエア構成を示す図である。
図２において、４０１はＣＰＵで、システムバス４０４に接続される各デバイスやコントローラを統括的に制御する。
【００１８】
ＲＯＭ４０２あるいは外部メモリ４１１には、ＣＰＵ４０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００１９】
４０３はＲＡＭで、ＣＰＵ４０１の主メモリ、ワークエリア等として機能する。ＣＰＵ４０１は、処理の実行に際して必要なプログラム等をＲＯＭ４０２あるいは外部メモリ４１１からＲＡＭ４０３にロードして、該ロードしたプログラムを実行することで各種動作を実現するものである。
４０５は入力コントローラで、キーボード（ＫＢ）４０９や不図示のマウス等のポインティングデバイス等からの入力を制御する。
【００２０】
４０６はビデオコントローラで、表示部４１０への表示を制御する。なお、表示部４１０はＣＲＴだけでなく、液晶ディスプレイ等の他の表示器であってもよい。これらは必要に応じて管理者が使用するものである。また表示部は指やペン等にてユーザが表示画面内の対象位置を指定するタッチパネル機能を含むものであってもよい。
【００２１】
４０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ４１１へのアクセスを制御する。
【００２２】
４０８は通信Ｉ／Ｆコントローラで、ネットワーク（通信回線）３００を介して外部機器と接続・通信するものであり、ネットワークでの通信制御処理を実行する。例えば、ＴＣＰ／ＩＰを用いた通信等が可能である。
【００２３】
なお、ＣＰＵ４０１は、例えばＲＡＭ４０３内の表示情報用領域へアウトラインフォントの展開（ラスタライズ）処理を実行することにより、ＣＲＴ上での表示を可能としている。また、ＣＰＵ４０１は、ＣＲＴ上の不図示のマウスカーソル等でのユーザ指示を可能とする。
【００２４】
本発明を実現するための後述する各種プログラムは、画像管理サーバ１００の外部メモリ４１１に記録されており、必要に応じてＲＡＭ４０３にロードされることによりＣＰＵ４０１によって実行されるものである。さらに、上記プログラムの実行時に用いられるデータファイル及びデータテーブル等も、外部メモリ４１１または画像管理サーバ１００の記憶手段に格納されており、これらについての詳細な説明も後述する。
図３を説明する。
図３は、ステップＳ１０４でクライアント端末２００が表示するトップ画面である。
【００２５】
５０１は、ステップＳ１０６でクライアント端末を操作するユーザが選択し押下される入力へボタン（コンテストビジュアル開催中）であり、画像管理サーバ１００に応募内容入力画面の表示を要求する。
掲載期間が終わるとフォトコン表示ボタン（コンテストビジュアル開催中）が消える。
【００２６】
５０２は、ステップＳ１０７でクライアント端末を操作するユーザが選択し押下されるストレージへボタン（もっとみる）であり、ログイン後のユーザが画像管理サーバ１００にストレージ画面の表示を要求する。
【００２７】
５０３は、ステップＳ１０１でクライアント端末を操作するユーザが選択し押下されるログインボタン（ログイン）であり、ユーザが画像管理サーバ１００にユーザログインを要求することで、ユーザ情報（メールアドレス等）やパスワードを画像管理サーバ１００に送信し、認証要求をする。
５０４は、ログイン認証後に表示されるユーザのアカウント（Ｓｕ３ｄｅｓｕ）である。
図４を説明する。
図４は、ステップＳ２０４でクライアント端末２００が表示する応募内容入力画面である。
【００２８】
５０５は、ステップＳ２０６でクライアント端末を操作するユーザが選択し押下される確認へボタン（確認画面へ）であり、画像管理サーバ１００に応募内容確認画面の表示を要求する。
【００２９】
５０６は、ステップＳ２０７でクライアント端末を操作するユーザが選択し押下される画像管理サーバからボタン（ストレージから選択）であり、画像管理サーバ１００に応募画像の画像管理サーバからの選択を要求する。
つまり画像管理サーバは、クライアント端末に表示される画面（図４）から、画像管理装置に登録されている画像の中から応募サイトに応募する画像の選択を受け付けることができる（第１の応募画像受付手段）。
ストレージから選択する場合には、応募情報記憶手段から既に応募済の画像であるかを識別表示する。
【００３０】
５０７は、ステップＳ２０８でクライアント端末を操作するユーザが選択し押下されるクライアント端末からボタン（パソコンから選択する）であり、画像管理サーバ１００に応募画像のクライアント端末からの選択を要求する。
【００３１】
つまり画像管理サーバは、クライアント端末表示される画面（図４)から、クライアント端末に保存されている画像の中から応募サイトに応募する画像の選択を受け付けることができる（第２の応募画像受付手段）。
パソコンから選択する場合に、登録するかそのまま登録しないかの確認画面を出す。
【００３２】
５０８は、ステップＳ２０９でクライアント端末を操作するユーザが選択し押下されるストレージへボタン（私のストレージ）であり、画像管理サーバ１００にストレージ画面の表示を要求する。
図５を説明する。
図５は、ステップＳ３０５でクライアント端末２００が表示する応募内容確認画面である。
【００３３】
５０９は、ステップＳ３０７でクライアント端末を操作するユーザが選択し押下される応募ボタン（応募する）であり、画像管理サーバ１００に選択した画像の応募を要求する。
【００３４】
５１０は、ステップＳ３０９でクライアント端末を操作するユーザが選択し押下される入力へボタン（戻って修正する）であり、画像管理サーバ１００に応募内容入力画面の表示を要求する。
【００３５】
５１１は、ステップＳ３０８でクライアント端末を操作するユーザが選択し押下されるストレージへボタン（私のストレージ）であり、画像管理サーバ１００にストレージ画面の表示を要求する。
図６を説明する。
図６は、ステップＳ４０９でクライアント端末２００が表示する応募完了通知画面である。
【００３６】
５１２は、ステップＳ４１２でクライアント端末を操作するユーザが選択し押下される入力へボタン（もう一回応募する）であり、画像管理サーバ１００に応募内容入力画面の表示を要求する。
【００３７】
５１３は、ステップＳ４１３でクライアント端末を操作するユーザが選択し押下される確認へボタン（応募作品ページへ）であり、画像管理サーバ１００に応募内容確認画面の表示を要求する。
【００３８】
５１４は、ステップＳ４１１でクライアント端末を操作するユーザが選択し押下されるストレージへボタン（私のストレージ）であり、画像管理サーバ１００にストレージ画面の表示を要求する。
図７を説明する。
図７は、ステップＳ５０６でクライアント端末が表示するユーザ毎に登録済みの画像（ＩＭＡＧＥ）を一覧表示するストレージ画面である。
【００３９】
５１５は、ステップＳ５０８でクライアント端末を操作するユーザが選択し押下される確認へボタン（フォトコン）であり、画像管理サーバ１００に応募内容確認画面の表示を要求する。
【００４０】
登録画像表示指示手段が応募サイトへの応募を識別可能に表示する表示情報（フォトコン）は、クライアント端末から、応募画像送信手段が送信した画像の表示を要求可能な表示情報である。
【００４１】
５１６は、ステップＳ５０８でクライアント端末を操作するユーザが選択し押下されるトップへボタン（トップへ）であり、画像管理サーバ１００にトップ画面の表示を要求する。
図８を説明する。
図８は、トップ画面表示要求処理を示すフローチャートである。
【００４２】
ステップＳ１０１では、クライアント端末２００は、画像管理サーバ１００にユーザ情報及びパスワードを含むログイン要求（ユーザ情報及びパスワード）を送信する。
ステップＳ１０２では、画像管理サーバ１００は、ログイン要求を受け付ける。
ステップＳ１０３では、画像管理サーバ１００は、ログイン認証に従ってトップ画面の表示指示をする。
ステップＳ１０４では、クライアント端末２００は、トップ画面（図３）を表示部に表示する。
ステップＳ１０５では、クライアント端末２００におけるユーザの画面選択操作であり、ユーザの選択に従って、操作ボタンが選択される。
ステップＳ１０６では、クライアント端末２００で、フォトコンボタンが押下される。押下されると、Ａに進む。
ステップＳ１０７では、クライアント端末２００で、もっとみるボタンが押下される。押下されると、Ｂに進む。
ＯからステップＳ１０８に進む。
ＮからステップＳ１０８に進む。
ステップＳ１０８では、クライアント端末２００は、トップ画面の表示要求を送信する。
ステップＳ１０９では、画像管理サーバ１００は、トップ画面の表示要求を受け付ける。
図９を説明する。
図９は、応募内容入力処理を示すフローチャートである。
ＡからステップＳ２０１に進む。
ＩからステップＳ２０１に進む。
ＫからステップＳ２０１に進む。
ＲからステップＳ２０１に進む。
ＳからステップＳ２０１に進む。
ステップＳ２０１では、クライアント端末２００は、応募画像入力画面の表示要求を送信する。
ステップＳ２０２では、画像管理サーバ１００は、応募画像入力画面の表示要求を受け付ける。
ステップＳ２０３では、画像管理サーバ１００は、応募画像入力画面の表示指示をする。
ステップＳ２０４では、クライアント端末２００は、応募画像入力画面（図４）を表示部に表示する。
ステップＳ２０５では、クライアント端末２００におけるユーザの画面選択操作であり、ユーザの選択に従って、操作ボタンが選択される。
ステップＳ２０６では、クライアント端末２００で、確認画面ボタンが押下される。押下されると、Ｃに進む。
ステップＳ２０７では、クライアント端末２００で、ストレージから選択ボタンが押下される。押下されると、Ｄに進む。
ステップＳ２０８では、クライアント端末２００で、パソコンから選択ボタンが押下される。押下されると、Ｅに進む。
ステップＳ２０９では、クライアント端末２００で、私のストレージボタンが押下される。押下されると、Ｆに進む。
図１０を説明する。
図１０は、応募内容確認処理を示すフローチャートである。
ＣからステップＳ３０１に進む。
ＭからステップＳ３０１に進む。
ＬからステップＳ３０１に進む。
ステップＳ３０１では、クライアント端末２００は、応募画像確認画面の表示要求を送信する。
【００４３】
ステップＳ３０２では、画像管理サーバ１００は、クライアント端末から、画像情報とともに応募するまたは応募した画像の応募画像確認画面の表示要求を受け付ける（表示要求受付手段）。
ステップＳ３０２の変形例では表示情報を介して、応募画像送信手段が送信した画像の表示要求を受け付ける（応募画像表示要求受付手段）。
【００４４】
ステップＳ３０３では、画像管理サーバ１００は、応募画像表示要求を受け付けた場合に、画像情報テーブルを参照し、ステップＳ３０２で受け付けた画像情報に対応づけられた応募情報がない場合には新規応募であると判定し、応募情報がある場合には新規応募でないと判定する（新規応募判定手段）。
【００４５】
ステップＳ３０３の変形例では表示要求を受け付けた場合に、応募情報記憶手段が記憶している応募情報に従って、表示要求された画像が新規応募であるいなかを判定する（新規応募判定手段）。
【００４６】
ステップＳ３０４では、画像管理サーバ１００は、ステップＳ３０３で新規応募である（応募情報がない）と判定した場合に、応募要求を受け付け可能な表示情報（応募するボタン）を含む画面をクライアント端末２００に表示指示する。
【００４７】
ステップＳ３０５では、クライアント端末２００は、応募内容確認画面（図５）を表示部に表示する。この時はこれから応募するので、応募するボタン（図５の５０９）は表示される。
ステップＳ３０６では、クライアント端末２００におけるユーザの画面選択操作であり、ユーザの選択に従って、操作ボタンが選択される。
ステップＳ３０７では、クライアント端末２００で、応募するボタンが押下される。押下されると、Ｇに進む。
ステップＳ３０８では、クライアント端末２００で、私のストレージボタンが押下される。押下されると、Ｈに進む。
ステップＳ３０９では、クライアント端末２００で、戻って修正ボタンが押下される。押下されると、Ｉに進む。
【００４８】
ステップＳ３１０では、画像管理サーバ１００は、ステップＳ３０３で新規応募でない（応募情報がある）と判定した場合に、応募要求を受け付け可能な表示情報（応募するボタン）を含まない画面をクライアント端末２００に表示指示する（第３の表示指示手段）。
【００４９】
ステップＳ３１１では、クライアント端末２００は、応募内容確認画面（図５）を表示部に表示する。この時は応募済みであるので、応募するボタン（図５の５０９）は表示されない。
ステップＳ３１２では、クライアント端末２００におけるユーザの画面選択操作であり、ユーザの選択に従って、操作ボタンが選択される。
ステップＳ３１３では、クライアント端末２００で、私のストレージボタンが押下される。押下されると、Ｐに進む。
図１１を説明する。
図１１は、応募完了通知処理を示すフローチャートである。
ＧからステップＳ４０１に進む。
ステップＳ４０１では、クライアント端末２００は、Ｓ６０６またはＳ６１１で選択された画像情報（画像ＩＤ）を含む応募サイトへの応募要求を送信する。
ステップＳ４０２では、画像管理サーバ１００は、クライアント端末２００から画像情報（画像ＩＤ）を含む応募サイトへの応募要求を受け付ける。
【００５０】
ステップＳ４０３では、画像管理サーバ１００は、ステップＳ４０２で受け付けた画像情報（画像ＩＤ）と一致する画像を応募サイトに応募する（応募手段）。応募する画像と画像情報及び応募に関する必要事項（名前、住所等）を応募サイトに送信する。
ステップＳ４０３の変形例では、図４の５０６から受け付けた画像を応募サイトに送信する（応募画像送信手段）。
ステップＳ４０４では、応募サイトは、ステップＳ４０３で送信されたフォトコンテストの応募に必要な情報を受信する。
ステップＳ４０５では、応募サイトは、応募受付完了を画像管理サーバ１００に通知する。
ステップＳ４０６では、画像管理サーバ１００は、応募受付完了通知を受信する。
ステップＳ４０７では、画像管理サーバ１００は、応募情報（応募ＩＤ）を送信した画像情報（画像ＩＤ）に対応づけて、画像情報テーブルに登録する。
ステップＳ４０８では、画像管理サーバ１００は、クライアント端末２００に応募完了通知画面の表示指示をする。
ステップＳ４０９では、クライアント端末２００は、応募完了通知画面を表示する。
ステップＳ４１０では、クライアント端末２００におけるユーザの画面選択操作であり、ユーザの選択に従って、操作ボタンが選択される。
ステップＳ４１１では、クライアント端末２００で、私のストレージボタンが押下される。押下されると、Ｊに進む。
ステップＳ４１２では、クライアント端末２００で、もう１回応募するボタンが押下される。押下されると、Ｋに進む。
ステップＳ４１３では、クライアント端末２００で、応募作品ページへボタンが押下される。押下されると、Ｌに進む。
図１２を説明する。
図１２は、ストレージ画面表示要求処理を示すフローチャートである。
ＪからステップＳ５０１に進む。
ＢからステップＳ５０１に進む。
ＦからステップＳ５０１に進む。
ＨからステップＳ５０１に進む。
ＰからステップＳ５０１に進む。
ステップＳ５０１では、クライアント端末２００は、画像管理サーバ１００にストレージ画面の表示要求を送信する。
ステップＳ５０２では、画像管理サーバ１００は、クライアント端末２００からストレージ画面の表示要求を受け付ける。
ステップＳ５０３では、画像管理サーバ１００は、応募要求に含まれる画像情報（画像ＩＤ）が登録されているかいなかを判定する（登録判定手段）。
判定方法は、画像テーブルに登録された登録ＩＤと画像ＩＤに従って判定してもよい。
判定方法は、ステップＳ６０２で受け付け画像テーブルに登録された画像の保存箇所が画像管理装置１００かいなかに従って判定してもよい。
【００５１】
ステップＳ５０３の変形例では、第２の応募画像受付手段が受け付けた画像が、画像管理装置に登録されているかいなかを判定する（登録判定手段）。登録判定手段が登録されていないと判定した場合に、第２の応募画像受付手段が受け付けた画像を登録すべく指示する画面（図示しない）を、画像管理装置に表示指示する（登録画面表示指示手段）。
【００５２】
ステップＳ５０４では、画像管理サーバ１００は、ステップＳ５１１で指示した画像の中で応募要求に含まれる画像情報（画像ＩＤ）と一致する画像に、応募サイトへの応募が識別可能な表示情報（フォトコンボタン）を付与する。
【００５３】
ステップＳ５０５では、画像管理サーバ１００は、ステップＳ５０４で付与した表示情報をステップＳ５１１で指示した一覧表示ともに表示指示する（第２の表示指示手段）。
第２の表示指示手段は、一覧表示でなくてもよく、一枚ごとの画像であってもよい。
【００５４】
ステップＳ５０５の変形例では、図７のように応募サイトに送信した画像の応募サイトへの応募が識別可能な表示情報（図７の５１５）を、登録されている画像の表示ともに表示指示する（登録画像表示指示手段）。
一枚を複数のフォトコンに応募した場合は、複数表示してもよい。
掲載期間が終わるとフォトコン表示ボタン（フォトコンボタン）が消える。
【００５５】
ステップＳ５０６では、クライアント端末２００は、ステップＳ５０４で表示指示されたストレージ画面（図７）を表示部に表示する。この画面では、フォトコンボタン（図７の５１５）が新規に付与されている。
ステップＳ５０７では、クライアント端末２００におけるユーザの画面選択操作であり、ユーザの選択に従って、操作ボタンが選択される。
【００５６】
ステップＳ５０８では、クライアント端末２００で、フォトコンボタンが押下される。フォトコンボタン（図７の５１５）は、ステップＳ４０３で応募した画像の表示要求を画像管理サーバ１００が受け付け可能な表示情報である。押下されると、Ｍに進む。
ステップＳ５０９では、クライアント端末２００で、トップボタンが押下される。押下されると、Ｎに進む。
ステップＳ５１０では、クライアント端末２００で、図示しない終了ボタンが押下される。ＷＥＢサイトの閲覧を終了する。
【００５７】
ステップＳ５１１では、画像管理サーバ１００は、ステップＳ５０２で受け付けたクライアント端末からのストレージ画面の表示要求に従って、既に登録されている画像をクライアント端末に一覧表示するために、ストレージ画面を表示指示する（第１の表示指示手段）。
ステップＳ５１２では、クライアント端末２００は、ステップＳ５１１で表示指示されたストレージ画面（図７）を表示部に表示する。
ステップＳ５１３では、クライアント端末２００におけるユーザの画面選択操作であり、ユーザの選択に従って、操作ボタンが選択される。
ステップＳ５１４では、クライアント端末２００で、トップボタンが押下される。押下されると、Ｏに進む。
ステップＳ５１５では、クライアント端末２００で、図示しない終了ボタンが押下される。ＷＥＢサイトの閲覧を終了する。
図１３を説明する。
図１３は、保存箇所選択処理を示すフローチャートである。
ＤからステップＳ６０１に進む。
ＥからステップＳ６０１に進む。
【００５８】
ステップＳ６０１では、クライアント端末２００は、画像管理サーバ１００にクライアント端末２００からステップＳ４０３で応募サイトに応募する画像の保存箇所（ファイルパス）を送信する。
【００５９】
ステップＳ６０２では、画像管理サーバ１００は、クライアント端末２００からステップＳ４０３で応募サイトに応募する画像の保存箇所（ファイルパス）を、ステップＳ４０２で受け付ける応募要求とともに受け付ける（保存箇所受付手段）。
【００６０】
ステップＳ６０３では、画像管理サーバ１００は、応募サイトに応募する画像の保存箇所（ファイルパス）が画像管理サーバ１００内か、画像管理サーバ１００外（クライアント端末）かを判定する。
ステップＳ６０４では、画像管理サーバ１００は、画像の選択画面（画像管理サーバ１００内）を表示指示する。
ステップＳ６０５では、クライアント端末２００は、画像の選択画面（画像管理サーバ１００内）を表示する。つまり登録済みの画像を選択する画面である。
【００６１】
ステップＳ６０６では、クライアント端末２００は、画像管理サーバ１００に応募する画像の画像情報を詳細な保存箇所（画像管理サーバ１００内）を送信する。
ステップＳ６０７では、画像管理サーバ１００は、応募する画像の画像情報を詳細な保存箇所を受け付ける。
【００６２】
ステップＳ６０８では、画像管理サーバ１００は、ステップＳ６０７で受け付けた応募サイトに応募する画像の保存箇所（ファイルパス）をユーザ毎の画像情報テーブルに登録する。ここでは画像管理サーバ１００内の詳細な保存箇所（ファイルパス）が登録される。
登録すると、Ｒに進む。
ステップＳ６０９では、画像管理サーバ１００は、画像の選択画面（画像管理サーバ１００外）を表示指示する。
ステップＳ６１０では、クライアント端末２００は、画像の選択画面（画像管理サーバ１００外）を表示する。つまり未登録の画像を選択する画面である。
【００６３】
ステップＳ６１１では、クライアント端末２００は、画像管理サーバ１００に応募する画像の画像情報を詳細な保存箇所（画像管理サーバ１００外）を送信する。
ステップＳ６１２では、画像管理サーバ１００は、応募する画像の画像情報を詳細な保存箇所を受け付ける。
【００６４】
ステップＳ６１３では、画像管理サーバ１００は、ステップＳ６１２で受け付けた応募サイトに応募する画像の保存箇所（ファイルパス）を画像情報に対応づけてユーザ毎の画像情報テーブルに登録する。ここでは画像管理サーバ１００ではないクライアント端末の詳細な保存箇所（ファイルパス）が登録される。
登録すると、Ｓに進む。
【００６５】
図１４の上図は画像情報テーブルであり、ユーザ毎に画像情報データを管理している。画像管理装置は、画像情報テーブルを外部メモリ４１１に記憶している（記憶手段）。
画像情報データは、応募サイトに応募した画像の応募情報を記憶する（応募情報記憶手段）。
【００６６】
画像情報データは、画像情報（画像ＩＤ）、保存箇所、応募情報（応募ＩＤ）、応募日、応募サイト、登録情報（登録ＩＤ）、登録日、登録名、を管理している。
【００６７】
画像情報（画像ＩＤ）と画像管理装置に登録（アップロード）された画像の登録情報（登録ＩＤ）を対応づけて記憶している。登録情報は、画像管理装置にユーザが登録した画像を識別可能な情報である。登録日は画像管理装置にユーザが画像を登録した日である。登録名は画像管理装置にユーザが画像の登録名称である。
【００６８】
画像情報（画像ＩＤ）と応募サイトに応募した画像の応募情報（応募ＩＤ）を対応づけて記憶している。応募情報は、応募サイト（フォトコンテスト）に応募済みの画像を識別可能な情報である。応募日は画像管理装置からユーザが画像を応募サイト（フォトコンテストに）応募した日である。応募サイトは画像管理装置からユーザが画像を応募した応募サイトである。保存箇所は、ユーザが画像を応募サイト（フォトコンテストに）応募した時に、画像が保管されていた場所であり、画像ファイルのパスである。ここでサーバとは画像管理サーバであり、画像管理サーバにアップロード済みの画像である。ここでＰＣとはクライアント端末であり、画像管理サーバにアップロードされていない画像で、ユーザが自分のＰＣに保存されている画像を応募サイト（フォトコンテスト）に応募した時である。
図１４の下図は応募サイト（フォトコン）情報テーブルである。
フォトコン毎に掲載期間を管理する。
フォトコン毎にＵＲＬを管理する。
【００６９】
また、本願発明におけるプログラムは、図８〜図１３に示すフローチャートの処理方法をコンピュータが実行可能なプログラムであり、本願発明の記憶媒体は図８〜図１３の処理方法をコンピュータが実行可能なプログラムとして、外部メモリ４１１に記憶されている。  
【００７０】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本願発明の目的が達成されることは言うまでもない。  
【００７１】
この場合、記録媒体から読み出されたプログラム自体が本願発明の新規な機能を実現することになり、そのプログラムを記憶した記録媒体は本発明を構成することになる。  
【００７２】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。  
【００７３】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。  
【００７４】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。  
【００７５】
また、本願発明は、複数の機器から構成されるシステムに適用しても、１つの機器からなる装置に適用してもよい。また、本願発明は、システムあるいは装置にプログラムを供給することによって達成される場合にも適応できることは言うまでもない。この場合、本願発明を達成するためのプログラムを格納した記録媒体を該システムあるいは装置に読み出すことによって、そのシステムあるいは装置が、本願発明の効果を享受することが可能となる。  
【００７６】
さらに、本願発明を達成するためのプログラムをネットワーク上のサーバ，データベース等から通信プログラムによりダウンロードして読み出すことによって、そのシステムあるいは装置が、本願発明の効果を享受することが可能となる。
なお、上述した各実施形態およびその変形例を組み合わせた構成も全て本願発明に含まれるものである。
【符号の説明】
【００７７】
１００  画像管理サーバ（画像管理装置）
１０１  コンテスト管理サーバ（応募サイト）
２００  クライアント端末
４０１  ＣＰＵ
４０３  ＲＡＭ
【図１】
0005668624.tif 000002
【図２】
0005668624.tif 000003
【図３】
0005668624.tif 000004
【図４】
0005668624.tif 000005
【図５】
0005668624.tif 000006
【図６】
0005668624.tif 000007
【図７】
0005668624.tif 000008
【図８】
0005668624.tif 000009
【図９】
0005668624.tif 000010
【図１０】
0005668624.tif 000011
【図１１】
0005668624.tif 000012
【図１２】
0005668624.tif 000013
【図１３】
0005668624.tif 000014
【図１４】
0005668624.tif 000015